(57)【要約】【課題】  被照明部材の照明品質を向上させることが可能な照明装置を提供する。【解決手段】  平板状の導光部材３０と、この導光部材３０に照明光を供給する光源２２及び光源２２を実装してなる配線基板２１を有する光源ユニット２０と、導光部材３０の前方側に配置され、導光部材３０の前面部３２から出射される出射光によって照明される被照明部材である表示パネル１０とを備えてなる照明装置において、導光部材３０の射出成形に伴い表示パネル１０と光源ユニット２０と導光部材３０とが一体化される構成とした。【選択図】図２
2011044338.tif 000002
【特許請求の範囲】
【請求項１】
導光部材と、
前記導光部材に照明光を供給する光源と、
前記導光部材の前方側に配置され、前記導光部材の前面部から出射される出射光によって照明される被照明部材とを備えてなる照明装置において、
前記導光部材の射出成形に伴い前記導光部材と前記光源とが一体化される構成としたことを特徴とする照明装置。
【請求項２】
導光部材と、
前記導光部材に照明光を供給する光源と、
前記導光部材の前方側に配置され、前記導光部材の前面部から出射される出射光によって照明される被照明部材とを備え、
前記導光部材には、前記光源からの照明光を入射する入射部と、前記入射部から採り入れた照明光を前記被照明部材側に出射させるための前記前面部である出射部とが形成されてなる照明装置において、
前記光源の発光部と前記入射部とが透光性部材を介して接合されてなることを特徴とする照明装置。
【発明の詳細な説明】
【技術分野】
【０００１】
本発明は、アクリル樹脂等からなる平板状の導光部材に照明光を供給する光源と、導光部材の前面部から出射する出射光によって照明される被照明部材とを備えた照明装置に関するものである。
【背景技術】
【０００２】
従来より、この種の照明装置にあっては、例えば下記特許文献１に記載されているものが知られている。この特許文献１に記載の照明装置は、アクリル樹脂等からなる略平板状の導光部材と、この導光部材の一側面である導光部材の入射部に沿うように配置される光源ユニットと、導光部材の前方側に配置される液晶表示パネル等からなる表示パネル（被照明部材）とを備え、この場合、光源ユニットは、導光部材に照明光を供給するように入射部と離間配置される複数個の光源（ＬＥＤ）と、入射部と平行状態をなすように各光源を実装してなる配線基板とを有している。
【０００３】
そして、光源から表示パネルに至る照明経路中に配設される導光部材には、各光源の発光面と所定のクリアランスを有するように形成される平坦面からなる前述した入射部と、この入射部から採り入れた照明光を表示パネル側に出射させるための出射部とが形成されてなる。また、導光部材の背面には光源から離間するに従って表示パネル側に傾斜して延びる傾斜部が成形され、かかる傾斜部は、光源からの照明光を表示パネル側にバランスよく供給するための反射面として機能している。
【０００４】
このように構成された照明装置において、光源から発せられた照明光は、前記各発光面と対向する導光部材の入射部を通じて導光部材内に採り入れられ、この導光部材内へと採り入れられた照明光が傾斜部によって表示パネル側に反射導光される。そして、この反射導光された照明光が、傾斜部と向かい合う導光部材の前面部（つまり前記出射部）から表示パネル側に向けて出射されることで、表示パネルが前記出射部から出射される出射光によって略均一にバックライト照明されるものであった。
【先行技術文献】
【特許文献】
【０００５】
【特許文献１】特開２００３−２５４７９４号公報
【発明の概要】
【発明が解決しようとする課題】
【０００６】
ところが、上述した特許文献１に記載の照明装置のように、光源（前記発光面）と導光部材の入射部との間に間隙（つまり前記クリアランス）が存在していると、光源（前記発光面）から発せられる照明光の一部が前記間隙から漏れてしまうことがあった。そして、このように照明光の光漏れが発生すると、この光漏れの分だけ導光部材に導入される照明光の光量が不足することになる。すると、当然のことながら前記傾斜部を通じて導光部材の前面部（前記出射部）から表示パネル側へと出射される出射光の光量不足が生じることに起因して、被照明部材である表示パネルの照明品質が低下してしまうという問題点があり、この点で更なる改良の余地が残されていた。
そこで本発明は、前述の課題に対して対処するため、被照明部材の照明品質を向上させることが可能な照明装置の提供を目的とするものである。
【課題を解決するための手段】
【０００７】
本発明は、導光部材と、前記導光部材に照明光を供給する光源と、前記導光部材の前方側に配置され、前記導光部材の前面部から出射される出射光によって照明される被照明部材とを備えてなる照明装置において、前記導光部材の射出成形に伴い前記導光部材と前記光源とが一体化される構成としたことを特徴とする。
【０００８】
また本発明は、導光部材と、前記導光部材に照明光を供給する光源と、前記導光部材の前方側に配置され、前記導光部材の前面部から出射される出射光によって照明される被照明部材とを備え、前記導光部材には、前記光源からの照明光を入射する入射部と、前記入射部から採り入れた照明光を前記被照明部材側に出射させるための前記前面部である出射部とが形成されてなる照明装置において、前記光源の発光部と前記入射部とが透光性部材を介して接合されてなることを特徴とする。
【発明の効果】
【０００９】
本発明によれば、初期の目的を達成でき、被照明部材の照明品質を向上させることが可能な照明装置を提供できる。
【図面の簡単な説明】
【００１０】
【図１】本発明の第１実施形態による照明装置の正面図。
【図２】図１のＡ−Ａ断面図。
【図３】同上実施形態の変形例による照明装置の断面図。
【図４】本発明の第２実施形態による照明装置の正面図。
【図５】図４のＢ−Ｂ断面図。
【発明を実施するための形態】
【００１１】
（第１実施形態）以下、図１、図２に基づいて本発明の第１実施形態を説明する。
【００１２】
図１において、本実施形態による照明装置は、表示パネル（被照明部材）１０と、光源ユニット２０と、導光部材３０と、反射部材４０とから構成されている。
【００１３】
表示パネル１０は、矩形シート状からなり、導光部材３０の前方側に配置され、文字等の所定の意匠が形成された表示部１１と、この表示部１１の背景を形成する背景部１２とを有している。これら表示部１１、背景部１２は、表示部１１が例えば明色系の透光性インクにより、また背景部１２が黒色系の遮光性インクにより、それぞれ表示パネル１０の母材となる薄板状の透光性基材１３の前面にスクリーン印刷等の手段を用いて印刷形成される。
【００１４】
なお、本実施形態では、表示パネル１０として母材となる透光性基材１３に表示部１１の形成された表示板を適用しているが、例えば表示パネル１０として所定の意匠が形成された液晶表示パネルを適用することも可能である。
【００１５】
光源ユニット２０は、図１中、表示パネル１０の下側に位置する配線基板２１と、この配線基板２１の後述する基部上に実装される複数の光源２２とを備えている。
【００１６】
配線基板２１は、ポリイミド等からなる絶縁基板上に導電路が形成されたフレキシブル配線板からなり、略Ｌ字状に形成され、図１中、表示パネル１０の下方に位置する表示パネル１０の一側面に沿うように配設される基部２３と、装置外部（導光部材３０外）へと露出する露出部２４とが一体形成された構成となっている。なお、本例では、配線基板２１としてフレキシブル配線板を適用しているが、例えばフレキシブル配線板に代えて前記導電路の形成された硬質のプリント配線板を適用してもよい。
【００１７】
光源２２は、適宜色を発光する複数個のチップ型発光ダイオード（ＬＥＤ）からなり、本例の場合、詳細図示は省略するが、基部２３に形成された導電路上に等間隔で実装され、導光部材３０に照明光を供給する発光体からなる。かかる各光源２２は、露出部２４に形成された導電路が電源供給部に備えられる導通端子（図示せず）と導通接続されることでそれぞれ光輝（発光）する。
【００１８】
なお、図２中、２２ａは、光源２２の発光面（発光部）を示しており、この発光面２２ａは、導光部材３０の板厚方向に沿うように位置している。従って、本例の場合、光源２２（発光面２２）から発せられる照明光は、図２に示すように表示パネル１０の背後に位置する導光部材３０箇所に導入される構成となっている。
【００１９】
導光部材３０は、平板状の透光性合成樹脂（例えばアクリル樹脂）からなり、表示パネル１０の背面に沿うように配置されている。
【００２０】
反射部材４０は、導光部材３０の背面に沿うように配置され、母材となる平板状の樹脂基板４１と、この樹脂基板４１の前面に鏡面状態となるように設けられる反射部４２と、この反射部４２上にドット状に点在する白色印刷層からなる光拡散部４３とを有している。
【００２１】
この場合、反射部４２は、銀やアルミニウム等を樹脂基板４１の前面に蒸着することにより形成された鏡面層からなり、また光拡散部４３における単位面積当たりのドットの密度は、表示部１１が略均一に照明されるような（換言すれば導光部材３０における前面部３２の輝度が略均一となるような）ドット密度に設定されているものとする。なお、本例では、反射部材４０と導光部材３０とが粘着剤等からなる接着層Ｇを介して接着されている。
【００２２】
ところで、本実施形態の場合、上述した表示パネル１０と光源ユニット２０と導光部材３０とがインサート成形なる手段を用いて一体成形されている。
【００２３】
具体的には、表示パネル１０と光源ユニット２０とを図示しない成形金型内にそれぞれセットし、前記成形金型を閉じた後、図示しない射出成形機を用いて導光部材３０となる溶融樹脂を前記成形金型内に射出する。前記溶融樹脂を射出した後、前記溶融樹脂を冷却することにより固化させ、前記成形金型を開いて取り出すことにより、導光部材３０の射出成形に伴い表示パネル１０と光源ユニット２０と導光部材３０とが一体成形（一体化）される構成となっている。
【００２４】
ここで、導光部材３０及び導光部材３０と一体化される光源ユニット２０の各光源２２に着目すると、各光源２２の発光面２２ａに対向する導光部材３０箇所には、各光源２２から発せられる照明光を入射する平坦面からなる入射部３１がそれぞれ形成され、また透光性基材１３と当接する導光部材３０箇所となる導光部材３０の前面部３２は、表示パネル１０側に照明光を出射させる出射部からなる。なお、導光部材３０の４つの側壁部Ｓには、導光部材３０内に導入される照明光が装置外部に漏れないように遮光シート等からなる光漏防止手段（図示せず）を設けることが望ましい。
【００２５】
このように、本例では各光源２２が図１中、表示パネル１０の下側に位置する導光部材３０の一側面に沿うように埋設され、且つ、図２に示すように発光面２２ａと入射部３１とがそれぞれ空気層を介さずに密着する構成となっている。
【００２６】
以上の各部により照明装置が構成されている。かかる照明装置にあっては、各光源２２が導光部材３０の前記一側面に沿い埋設されていることで、各光源２２（各光源２２の発光面２２ａ）から発せられる照明光は、各光源２２（発光面２２ａ）と密着している入射部３１を通じて導光部材３０の内部に採り入れられることになる。
【００２７】
このように本実施形態では、光源２２（発光面２２ａ）と入射部３１との間に間隙（前記空気層）が設けられずに両者が密着している構成となっていることから、従来のように光源と導光部材の入射部との間に間隙が設けられていることにより生じていた導光部材へと導入される照明光の光量不足が解消される。
【００２８】
そして、導光部材３０内に採り入れられた照明光は導光部材３０の内部を進むことになるが、導光部材３０の背面には導光部材３０と当接するように前述したドット状に点在する光拡散部４３を有する反射部材４０が設けられているため、導光部材３０背面から反射部材４０に向けて照射する照明光は、ドット状の白色印刷層からなる光拡散部４３にあたって反射して周囲に拡散され、導光部材３０の前面部（出射部）３２から前方側（表示パネル１０側）に向けて出射される。
【００２９】
この際、光拡散部４３を構成するドットの密度は、前述のように前面部３２の輝度が略均一となるように設定されているから、結果的に前面部３２から出射される出射光の輝度が略均一になり、かかる出射光が表示パネル１０を背後から照らすことで表示パネル１０（表示部１１）が略均一に照明される。つまり、このことは表示パネル１０が、前面部３２から出射される出射光によって略均一に照明されることを意味してなる。
【００３０】
これに加えて本実施形態によれば、上述のように光源２２から発せられる照明光は、その光量が不足しない状態で導光部材３０へと導入された後、前面部３２から表示パネル１０側へと出射される構成となっているから、表示パネル１０に至る照明光の光量不足が解消され、これにより表示パネル（被照明部材）の照明品質を従来に比べて向上させることが可能な照明装置を提供することができる。
【００３１】
以上のように本実施形態では、導光部材３０と、この導光部材３０に照明光を供給する光源２２（光源ユニット２０）と、導光部材３０の前方側に配置され、導光部材３０の前面部３２から出射される出射光によって照明される被照明部材である表示パネル１０とを備えてなる照明装置において、導光部材３０の射出成形に伴い表示パネル１０と光源ユニット２０と導光部材３０とが一体化される構成としたことにより、光源２２と導光部材３０の入射部３１とが前記空気層を介さずに密着し、光源２２から発せられる照明光は、その光量が減衰（不足）することなく入射部３１、前面部３２を経て表示パネル１０へと導かれることから、表示パネル（被照明部材）の照明品質を従来よりも向上させることが可能となる。
【００３２】
また本実施形態では、導光部材３０の射出成形に伴い表示パネル１０と光源ユニット２０と導光部材３０とが一体化される構成とした例について説明したが、例えば導光部材３０の射出成形に伴い光源ユニット２０（光源２２）と導光部材３０とが一体化される構成であってもよいし、導光部材３０の射出成形に伴い表示パネル１０と光源ユニット２０と導光部材３０と反射部材４０とが一体化される構成であってもよいし、さらには導光部材３０の射出成形に伴い光源ユニット２０と導光部材３０と反射部材４０とが一体化される構成であってもよい。
【００３３】
なお本実施形態では、表示パネル１０とその背後に配置される導光部材３０とが密着している例について説明したが、例えば本実施形態の変形例として図３に示すように表示パネル１０と導光部材３０との間にプリズムシートからなる集光部材Ｐを介在させる構成としてもよい。
【００３４】
この場合、集光部材Ｐは、例えば断面が三角形状のプリズム列が一定間隔で形成された輝度上昇用フィルムからなる上向きのプリズムシートである。かかる集光部材Ｐは、導光部材３０上に配置され、前面部３２から出射された出射光を正面方向（表示パネル１０方向）に集光させ、照明装置の輝度を上昇させるものである。
【００３５】
また、この変形例においては、例えば導光部材３０の射出成形に伴い集光部材Ｐと光源ユニット２０と導光部材３０とを一体化した後、集光部材Ｐ上に表示パネル１０が粘着剤等により接着されるとともに導光部材３０と反射部材４０とが接着層Ｇを介して接着されることで照明装置が得られる。
【００３６】
（第２実施形態）次に、本発明の第２実施形態を図４、図５に基づいて説明するが、前述の第１実施形態と同一もしくは相当個所には同一の符号を用いてその詳細な説明は省略する。この第２実施形態においては、表示パネル１０の外形形状と略同一の外形形状を有する導光部材５０を表示パネル１０の背面に積層配置し、導光部材５０とは別部材である透光性部材６０内に光源２２を埋設するとともに導光部材５０の一側面（入射部）５１とこの一側面５１に対向する透光性部材６０の側面部６１箇所とを面接触（当接）させた構成としている。
【００３７】
導光部材５０は、透光性合成樹脂からなり、各光源２２からの照明光を入射するために設けられた平坦面からなる前述した入射部５１と、前記第１実施形態にて採用した前面部（出射部）３２に相当し、表示パネル１０（透光性基材１３）背面に当接してなる前面部５２とを備えてなる。なお、この前面部５２は、入射部５１から採り入れた照明光を表示パネル１０側に出射させるための出射部からなる。
【００３８】
また導光部材５０と並設される透光性部材６０は、熱硬化型もしくは紫外線硬化型の透光性合成樹脂からなり、前記第１実施形態にて採用した配線基板２１の基部２３及び基部２３上に実装される各光源２２を覆うように図４中、表示パネル１０の下方に位置する表示パネル１０の一側面に沿うように配設されてなる。
【００３９】
この透光性部材６０には、導光部材５０の入射部５１と密着（当接）している前述した側面部６１と、各光源２２を埋設するための凹部形状からなる複数個の窪み部６２が形成されてなる。また、本第２実施形態では、図５に示すように光源２２の発光面２２ａが、透光性部材６０の側面部６１側（つまり導光部材５０の入射部５１側）を向いているものとする。
【００４０】
なお、本第２実施形態の場合、前記第１実施形態のように照明装置を構成する各部が導光部材３０の射出成形に伴い一体化される構成とはなっておらず、表示パネル１０が粘着剤等により導光部材５０に接着されているとともに、基部２３（光源ユニット２０）、表示パネル１０の接着された導光部材５０並びに透光性部材６０が粘着剤等により反射部材４０に接着されているものとする。
【００４１】
かかる第２実施形態において、各光源２２から発せられる照明光は、発光面２２ａと側面部６１との間に位置する透光性部材６０内部、側面部６１を経て、この側面部６１と密着している導光部材５０の入射部５１へと入射され、導光部材５０の内部に採り入れられることになる。
【００４２】
ここで本第２実施形態では、光源２２の発光面２２ａと入射部５１との間に間隙（前記空気層）が設けられずに発光面２２ａと入射部５１とが透光性部材６０の所要部（つまり光源２２と入射部５１との間に隙間なく配設される透光性部材６０箇所）を介して接合された構成となっていることから、従来のように光源と導光部材の入射部との間に間隙が設けられていることにより生じていた導光部材へと導入される照明光の光量不足が解消される。
【００４３】
そして、導光部材５０内に採り入れられた照明光は導光部材５０の内部を進むことになるが、導光部材５０の背面には導光部材５０と当接するようにドット状に点在する光拡散部４３を有する反射部材４０が設けられているため、導光部材５０背面から反射部材４０に向けて照射する照明光は、ドット状の白色印刷層からなる光拡散部４３にあたって反射して周囲に拡散され、導光部材５０の前面部（出射部）５２から前方側（表示パネル１０側）に向けて出射される。
【００４４】
この際、光拡散部４３を構成するドットの密度は、前記第１実施形態にて採用した前面部３２の場合と同様に、前面部５２の場合においても、前面部５２の輝度が略均一となるように設定されているから、結果的に前面部５２から出射される出射光の輝度が略均一になり、かかる出射光が表示パネル１０を背後から照らすことで表示パネル１０（表示部１１）が略均一に照明される。
【００４５】
しかも本第２実施形態によれば、上述のように光源２２から発せられる照明光は、その光量が不足しない状態で導光部材５０へと導入された後、前面部５２から表示パネル１０側へと出射される構成となっているから、表示パネル１０に至る照明光の光量不足が解消され、これにより表示パネル（被照明部材）の照明品質を従来に比べて向上させることが可能な照明装置を提供することができる。
【００４６】
なお本第２実施形態では、表示パネル１０とその背後に配置される導光部材５０とが密着している例について説明したが、例えば表示パネル１０と導光部材５０との間に前記第１実施形態の変形例にて採用したプリズムシートからなる集光部材を介在させる構成としてもよい。
【符号の説明】
【００４７】
１０    表示パネル（被照明部材）
１１    表示部
２０    光源ユニット
２１    配線基板
２２    光源
２２ａ  発光面（発光部）
２３    基部
２４    露出部
３０、５０  導光部材
３１、５１  入射部
３２、５２  前面部（出射部）
４０    反射部材
４１    樹脂基板
４２    反射部
４３    光拡散部
６０    透光性部材
６１    側面部
６２    窪み部
Ｐ    集光部材
【図１】
2011044338.tif 000003
【図２】
2011044338.tif 000004
【図３】
2011044338.tif 000005
【図４】
2011044338.tif 000006
【図５】
2011044338.tif 000007